(57)【要約】【課題】  作業者が何時どのようなソフトウェアを実行したのか記録して、文書作成や作図等に専念した時間と作業内容の関係を評価する。【解決手段】  作業者Ｈが電子機器６の表示画面２に向かって、情報技術の作業を行なう際に、接近センサー９又は入力装置３、４が発生する各種信号を電子機器６で受けて作業開始を検出する。その時の実時間を開始時間ｔ１として記録し、その後接近センサー９又は入力装置３、４からの各種信号が予め定めた５分以内に検出されないと、その時の実時間を作業の終了時間ｔ１として記録し、その後同様な処理を繰り返し行ない複数組の開始時間ｔ２と終了時間ｔ２とを記録する。作業者Ｈに関してこれら開始時間と終了時間とを毎日、又は毎月、又は毎年それぞれ集計して作業時間として記録装置１５に記録する。これら記録した作業時間を、後日電子機器６上に読み出して表示画面２に表示又は印刷装置で印刷して、作業時間配分について確認する。【選択図】  図３
2006172408.tif 000002
【特許請求の範囲】
【請求項１】
作業者が毎日電子機器の表示画面に向かって、情報技術の作業を行なう際に、接近センサー又は入力装置が発生する各種信号を前記電子機器で受けて作業開始を検出し、その時の実時間を開始時間としてメモリに記録し、その後前記接近センサー又は入力装置からの各種信号が予め定めた基本時間以内に検出されないと、その時の実時間を作業の終了時間として前記メモリに記録し、更に実時間経過に伴って前記接近センサー又は入力装置の各種信号を受けて、その時の実時間を別の開始時間として前記メモリに記録し、その後前記各種信号が予め定めた基本時間以内に検出されないとその時の実時間を別の終了時間として前記メモリに記録し、
更にその後同様な処理を繰り返し行ない複数組の開始時間と終了時間とを前記メモリに記録することで、前記作業者に関してこれら開始時間と終了時間とを毎日、又は毎週、又は毎月、又は毎年当該電子機器でそれぞれ集計して作業時間として記録装置に記録し、これら記録した作業時間を、後日電子機器に読み出して前記表示画面に表示又は印刷装置で印刷して、当該作業者に関し、前記実時間に対応した作業時間配分について確認することを特徴とする電子表示装置の作業時間管理システム。
【請求項２】
前記電子機器は前記各種信号を受けて、同時にこれら各種信号が指定する情報技術の作業上のソフトウエアを識別し、前記作業時間を識別された前記ソフトウエア毎に、当該作業者に関して、毎日、又は毎週、又は毎月、又は毎年それぞれ集計して前記メモリに記録し、当該作業者の前記ソフトウエア毎の作業時間配分を確認することを特徴とする請求項１に記載の電子表示装置の作業時間管理システム。
【請求項３】
表情ファイルを設けた電子機器の表示画面に作業者が向かって、入力装置を使用して情報技術の作業を行なう際に、接近センサー又は入力装置が発生する各種信号を前記電子機器が受けて、作業開始を検出してその時の実時間を開始時間としてメモリに記録し、
作業開始を検出した後に、前記開始時間からの経過時間を作業継続時間としてカウンタで連続集計し、
前記表情ファイルには作業継続時間の長さを所定時間毎に区切ってこれら区切られた時間に対応して疲労度が増加している顔の表情映像を予めそれぞれ格納し、
前記接近センサー又は入力装置からの各種信号が予め定めた基本時間以内に検出されると
前記カウンタで連続集計された作業継続時間に対応した表情映像を前記表情ファイルから読み出して、作業中の電子表示装置に表示し、当該作業者に現在の連続作業時間に係わる疲労度を通告することを特徴とする電子表示装置の作業時間管理システム。
【請求項４】
前記電子機器を複数設けて通信回線を介しで互い通信可能とし、一方の電子機器から他方の電子機器に前記情報技術の作業の処理結果を転送した際には、この処理結果とともに前記作業継続時間に対応した表情映像が送信されて、他方の電子機器の電子表示装置に表示されることを特徴とする請求項３に記載の電子表示装置の作業時間管理システム。
【発明の詳細な説明】
【技術分野】
【０００１】  この発明は、電子表示装置の作業時間管理システムに関し、特に、長時間電子機器の電子画面を凝視しながら作業を行なう作業者の、精神的疲労や肉体的疲労を軽減するようにした電子表示装置の作業時間管理システムに関する。
【技術背景】
【０００２】  近年、マイクロエレクトロニクスや情報処理を中心とした技術革新によりＩＴ（情報技術）化が急速に進められ、ＶＤＴ（Ｖｉｓｕａｌ  Ｄｉｓｐｌａｙ  Ｔｅｒｍｉｎａｌ）が広く全ての職場に導入されて来ている。
誰でも職場において、ＶＤＴ作業を行なうようになり、電子機器の電子画面を使用する者が急激に増大している。
またノート型パソコンや各種携帯端末の普及、マウスやキー等の入力機器の多様化、多様なソフトウエアの普及により、ＶＤＴ機器が多様化している。
国の機関が行なった調査によれば、作業者の内精神的疲労を感じているものが約４割、肉体的疲労を感じているものが約８割いるという。
【０００３】このため厚生労働省では、ＶＤＴ作業者に対する安全衛生管理のあり方を検討するように産業界に勧告している。
更に、ＶＤＴ作業者の心身の負担をより軽減し、作業者がＶＤＴ作業を支障なく行ことができるようにするため、新しい「ＶＤＴ作業における労働衛生管理のためのガイドライン」を策定している。
その中心は作業時間管理であり、作業者が心身の負担が少なく作業を行うことができるよう、次にように作業時間、作業休止時間等について基準を定め、作業時間の管理を行なうことを推奨している。
【０００４】  指針では基本的なパソコン作業に、他の作業を組み込むこと又は他の作業とのローテーションを実施することなどにより、一日の連続ＶＤＴ作業時間が短くなるように配慮すること。一連続作業時間では、１時間を超えないようにすること、作業休止時間では、一連続作業と一連続作業の間に１０〜１５分の作業休止時間を設けること。一連続作業時間内において１〜２回程度の小休止５分以内を設けること。
【０００５】  さて、ＶＤＴ作業は、単純入力型と拘束型と対話型と技術型と監視型等のように分類されている。単純入力型とは１日４時間以上、文章等の入力、資料、伝票、原稿等からデータを入力する。（ＣＡＤへの単純入力を含む。）
拘束型とは受注、予約、照会等の業務をコールセンター等において、１日２時間以上単純入力の業務を行なう。
対話型とは作業者自身の考えにより、文章の作成、編集、修正等を行なう、電子メールの受信、送信等を行なう。また銀行の窓口等で金銭の出納を行なう。
技術型とはコンピューターのプログラムの作成、修正等を行い、コンピューターの支援により設計、製図を行なう。
監視型とはビルの防犯安全管理、交通等の監視を行なう。為替相場や株相場の監視と売り買い介入入力を行なう。
【０００６】  その他、インターネット上のデータ転送が高速大量になり、また安価になったため、電子メールの受信、送信等上で文章等の入力に熱中することが多くなっている。
一方企業においては、各個人により作図が得意、文書作成が得意など能力の違いがあるので、有効な作業分配を必要としている。大勢の作業者が大部屋でＶＤＴ作業を行なう場合、趣味の写真を表示したり、好みのインターネットのＷＥＢサイトを閲覧して仕事に専念しない者がいたりして、このような不謹慎者を制度的に排除する必要もあった。
【発明の開示】
【発明が解決しようとする課題】
【０００７】  国が推奨する前述の「ＶＤＴ作業における労働衛生管理のためのガイドライン」があるにも係わらず、企業や各種機関でのＶＤＴ作業上の健康管理は、作業者自身にまかされており、適切で具体的な電子表示装置の作業時間管理システムが無かった。
また個人が対話型で作業者自身の考えにより、文章の作成、編集、修正等を行う場合にはつい夢中になり、時間を忘れて連続作業を行なったため、後で肩こりや疲労感を大きくすることが多かった。
この発明では、連続作業の途中に特定の映像、文字表示、音声による通知を行なうことで、誰でも簡単に業務の流れの中で無理なく電子表示装置の作業時間管理ができるようにすることを目的としている。【０００８】  更にこの発明では、ＶＤＴ作業の内容を自動的に記録することで、作業者が何時どのようなソフトウエアやプログラムを実行したのか記録して、いたずらにインターネットのＷＥＢサイトを閲覧して時間を浪費していないか等を判定し、又文書作成や作図等に苦労したなど作業内容を評価できるようにすることを目的としている。
【課題を解決するための手段】
【０００９】  この発明は、上記問題を解決するためになされたもので、第１の発明では、作業者が毎日電子機器の表示画面に向かって、情報技術の作業を行なう際に、接近センサー又は入力装置が発生する各種信号を前記電子機器で受けて作業開始を検出し、その時の実時間を開始時間として記録し、その後前記接近センサー又は入力装置からの各種信号が予め定めた基本時間（５分）以内に検出されないと、その時の実時間を作業の終了時間として記録し、更に実時間経過に伴って前記接近センサー又は入力装置の各種信号を受けて、その時の実時間を別の開始時間としてメモリに記録し、その後前記各種信号が予め定めた基本時間（５分）以内に検出されないとその時の実時間を別の終了時間として前記メモリに記録し、更にその後同様な処理を繰り返し行ない複数組の開始時間と終了時間とを前記メモリに記録することで、前記作業者に関してこれら開始時間と終了時間とを毎日、又は毎週、又は毎月、又は毎年当該電子機器でそれぞれ集計して作業時間として記録装置に格納し、これら記録した作業時間を、後日電子機器読み出して前記表示画面に表示又は印刷装置で印刷して、当該作業者に関し、前記実時間に対応した作業時間配分について確認することを特徴とする。【００１０】第２の発明では、前記電子機器は前記各種信号を受けて、同時にこれら各種信号が指定する情報技術の作業上のソフトウエアを識別し、前記作業時間を識別された前記ソフトウエア毎に、当該作業者に関して、毎日、又は毎週、又は毎月、又は毎年それぞれ集計して記録し、当該作業者の前記作業時間配分を確認することを特徴とする。【００１１】  第３の発明では、表情ファイルを設けた電子機器の表示画面に作業者が向かって、入力装置を使用して情報技術の作業を行なう際に、接近センサー又は入力装置が発生する各種信号を前記電子機器が受けて、作業開始を検出してその時の実時間を開始時間としてメモリに記録し、作業開始を検出した後に、前記開始時間からの経過時間を作業継続時間としてカウンタで連続集計し、表情ファイルには作業継続時間の長さを１分毎に区切ってこれら区切られた時間に対応して疲労度が増加している顔の表情映像を予めそれぞれ格納し、前記接近センサー又は入力装置からの各種信号が予め定めた基本時間（５分）以内に検出されると前記カウンタで連続集計された作業継続時間に対応した表情映像を前記表情ファイルから読み出して、作業中の電子表示装置に表示し、当該作業者に現在の連続作業時間に係わる疲労度を通告することを特徴とする。【００１２】  第４の発明では、前記電子機器を複数設けて通信回線を介しで互い通信可能とし、一方の電子機器から他方の電子機器に前記情報技術の作業の処理結果を転送した際には、この処理結果とともに前記作業継続時間に対応した表情映像が送信されて、他方の電子機器の電子表示装置に表示されることを特徴とする。
【発明の効果】
【００１３】  この発明によれば、作業者が何時どのようなソフトウエアやプログラムを実行したのか記録して、いたずらにインターネットのＷＥＢサイトを閲覧して時間を浪費していないか等を判定し、又文書作成や作図等に苦労したなど作業内容を評価できる。
連像作業の途中に疲労度を示す映像と文字を表示し、音声による通知を行なうことで、誰でも簡単に業務の流れの中で無理なく電子表示装置の作業時間管理ができる。
【発明を実施するための最良の形態】
【００１４】  以下、添付図面を参照して本発明の実施形態について説明する。
まず、図１において、情報技術（ＩＴ）が実践されるＶＤＴ（電子表示装置）作業現場状態の一例を示す。ＶＤＴ（Ｖｉｓｕａｌ  Ｄｉｓｐｌａｙ  Ｔｅｒｍｉｎａｌ）には、デスクトップ型機器、ノート型機器、携帯情報端末等が多用されているが、ここでは主流となった典型的なノート型機器に適応した例を説明する。【００１５】  作業者Ｈは電子端末のパソコン６の前で椅子に座り、キーボード３とマウス４を使用し、表示装置２の画面に向かって、情報処理の作業を実行する。パソコン６の情報処理装置５にはスピーカ７が組み込まれ、また脱着自在な記録媒体ＣＤ−ＲＯＭ、ＦＤ等のドライバも備えている。
パソコン６の表示装置２の上枠には、接近センサー９が配置され、作業者Ｈが表示装置２の直前にいることを検出可能としている。
更にパソコン６は事務所等においては、社（構）内ＬＡＮケーブル２３に接続され、他の複数のパソコン２４とデータ転送や通信が可能になっており、なお更に外部に対してもインターネットを介して通信可能となっている。【００１６】次に図２、図３において本発明によるパソコン６の回路構成を説明する。
まず、キーボード３とマウス４、接近センサー９からの各信号は、ＯＲ回路１０に入力され、そこから断続検出部１１に送られる。
断続検出部１１には日時秒を計測するタイマー８から時間信号が供給され、内蔵のカウンタ１１ａが経過時間を累計する。断続検出部１１では、所定時間経過以内例えば５分以内にＯＲ回路１０から何れかの信号があれば、継続信号Ｃを、無ければ終了信号Ｅをバス３０に出力する。
同時にキーボード３とマウス４とからの信号Ｋ、Ｍが中央演算装置（ＣＰＵ）１に送られ、内蔵された種別判定部１２に入力される。【００１７】  ＣＰＵ１には演算記憶用のＲＡＭ１４が接続され、基本プログラム１６と各種作業プログラム１６ａ、１６ｂ、１６ｃ、１６ｄ、１６ｅ、・・・が起動可能となっている。
基本プログラム１６はパソコン６を起動するための基本的な、ＷｉｎｄｏｗｓやＬＩＮＸであり、各種作業プログラム１６ａ・・・は文書作成用のＷｏｒｄや一太郎、作表用のＥｘｃｅｌ、作図用のＶｉｓｉｏ、インターネット通信用のＥｘｐｒｏｌｅｒ、電子メール用のＯｕｔｌｏｏｋ  Ｅｘｐｒｅｓｓ、図解説明用のＰｏｗｅｒ  Ｐｏｉｎｔ等である。これらはハードディスク１５に予め格納されており、基本プログラム１６はパソコン６を起動した際自動的にＲＡＭ１４で展開され、立ち上がるようになっている。【００１８】タイマー８から暦上の実時間信号が常時ＣＰＵ１に供給され、ＣＰＵ１では、また顔通信プログラム１７と経歴整理プログラム１８と疲労度プログラム１９が起動可能となっている。これら顔通信プログラム１７等もまた、記憶装置のハードディスク１５に予め格納されている。
これら顔表情プログラム１７等は基本プログラム１６に続いて、自動的にＲＡＭ１４上にロードされ起動可能になっている。
ＣＰＵ１にはバス３０を介してハードディスク１５と表情ファイル２０と表示制御部２１と音声制御部２２とが接続されている。この表情ファイル２０は予めハードディスク１５内に形成してもいいし、別体のメモリに形成してもいい。【００１９】  図３において、このＲＡＭ１４のメモリ空間にはＣＰＵ１により経歴整理プログラム１８を使用して、時間記録部１４ａが形成される。
時間記録部１４ａには、更にＣＰＵ１により経歴整理プログラム１８を使用して、種別欄１４ｂと複数の時間欄１４ｃが、各種作業プログラム毎にＲＡＭ１４上にまたは      ハードディスク１５上のメモリ空間に作成される。
種別欄１４ｂには、各種作業プログラムである文書作成のＷｏｒｄ１６ａや一太郎１６ｂ、作表用のＥｘｃｅｌ１６ｃ、作図用のＶｉｓｉｏ１６ｄ名等が配置される。
例えばＷｏｒｄ１６ａ作業について、連続作業時間欄ｔ１、ｔ２ｔ３、・・・等と合計欄Ｔ１（この数字１は暦の日を代表する、１＝１日、２＝２日等）等がその都度作成され、これらに発生したデータは、図２のハードディスク１５内に形成した作業履歴書１５ｂとして記録保持される。
時間記録部１４ａは予め表として作成して、ハードディスク１５に格納し、経歴整理プログラム１８により読み出すようにしてもよい。
時間記録部１４ａの蓄積内容である作業履歴書１５ｂは図１１に示すように海山、木下等の個人ごとに１日作業履歴書３１、週作業履歴書、月作業履歴書３５、年作業履歴書として編集可能である。【００２０】図３において、表情ファイル２０には、時間欄２０ａと表情欄２０ｂと音声欄２０ｃと文字欄２０ｄとがあり、時間欄２０ａは例えば２０分、４０分、６０分、６０分以上が設定されている。
表情欄２０ｂにはこれら２０分、４０分、６０分、６０分以上と対応して例えば、元気な顔映像Ａ、少し疲れた顔映像Ｂ、疲れた顔映像Ｃ、やつれた顔映像Ｄがそれぞれ記録されている。
音声欄２０ｃにはこれら２０分、４０分、６０分、６０分以上と対応して例えば「さあ始めよう！」、「少し疲れたね」、「休みましょう！」、「ハーハー」の音声データがそれぞれ記録されている。
文字欄２０ｄには、これら２０分、４０分、６０分、６０分以上と対応して例えば「さあ始めよう！」、「少し疲れたね」、「休みましょう！」、「ハーハー」の文字データがそれぞれ記録されている。
表情ファイル２０の上記内容の時間、度合い、区切り、表現方法は、適宜荒く／細かく任意に設定可能である。【００２１】  次に、図１〜図３を参照して図６、図４、図５のフローチャート及び図６、７、８、９の表示図に従って動作を説明する。作業者Ｈが図１のパソコン６の電源を入れると、ステップＳ１では、このパソコン６を作動させるため基本プログラム１６の基本ソフト例えばＷＩＮＤＯＷＳ、ＬＩＮＵＸなどが自動的に立ち上がる。
同時にＣＰＵ１は経歴整理プログラム１８を起動して、図３の時間記録部１４ａをＲＡＭ１４上に展開する。
接近センサー１０の電源もスイッチが同期開閉になっており、基本ソフトの立ち上げに続いて、接近センサー９の電源オンとなり、距離データＤをＯＲ回路１０に出力する。
その後ステップＳ２では、作業者Ｈが本来業務の社内報告書を作成するために、マウス４を使用して当該ソフトのアイコンを指示する、ステップＳ３では作業プログラム１６ａの例えば、「ＷＯＲＤ」や「一太郎」がＲＡＭ１４上で展開され起動する。
同時に、ＣＰＵ１の種別判定部１２は、ソフトの「ＷＯＲＤ」であることを判定して時間記録部１４ａ内の「ＷＯＲＤ」欄への記録準備に入る。
また、ＣＰＵ１は「Ｅｘｃｅｌ」、「Ｐｏｗｅｒ  Ｐｏｉｎｔ」、「Ｖｉｓｉｏ」等の欄も同時に生成する。【００２２】  更に「ＷＯＲＤ」等に続いて、ステップＳ４では、ＣＰＵ１により疲労度プログラム１９が起動され、またＣＰＵ１は始動時であるので、カウンタ１１ａは裕に２０分以下であり元気な張り切った男性の顔表情Ａの映像データ等を表情ファイル２０から読み出す。
読み出された映像データ等は一時ＲＡＭ１４上に置かれ、その後表示制御部２１と音声制御部２２にそれぞれ送られる．
この場合作業の開始時であり、カウンタ１１ａは２０分以下であり、時間欄２０ａの２０分の行対応、表情欄２０ｂから元気男性の顔表情Ａを、音声欄２０ｃから音声信号“サー始めよう”を、文字欄２０ｄから文字信号「サー始めよう！」をそれぞれ読み出す。【００２３】  図６に示すように、表示部２の画面の大部分（大面積）には、作成前の文字用画面が、右下横の小部分（小面積）には、表示制御部２１により「サー元気に始めよう！」の文字と、元気な「顔表情」の絵Ａとが同時に表示される。
また、音声制御部２２は音声信号“サー元気に始めよう”から音声信号を発生してスピーカ７から音声を放送する。これら文字の表示と音声の放送は作業の邪魔にならないように２、３秒後に消去する。
ステップＳ５では、この時タイマー（内蔵時計）８の計時歩進信号がカウンタ１１ａにカウント開始され、断続判定部１１のカウンタ１１ａにより経過時間（分）が計測される。
以下の動作は他の各種作業プログラム１６ａ、１６ｂ、１６ｃ、１６ｄ、１６ｅ、・・・でも同様であり、ここでは「ＷＯＲＤ」の例で説明する。
ステップＳ６では、ＲＡＭ１４上で、時間記録部１４ａ内で「ＷＯＲＤ」に付いて図１１に示すように時間欄ｔ１が設定（開始時間が記録）される。【００２４】ステップＳ７では、断続判定部１１はＯＲ回路１０を介して、キー３から入力があるかどうかを調べる。無ければステップＳ８に進み、マウス４から入力があるかどうかを調べる。キー３又はマウス４のどちらかでも入力が有れば、図５のステップＳ１０に進み文書作成など情報処理を行なう。ステップＳ１０の情報処理が本来の作業者の仕事となる。
無ければ図５のステップＳ９に進み、作業者Ｈが表示部２の画面の前に居るかどうかを調べる。即ち、接近センサー１０が常時作業者Ｈの顔面と表示部２との距離を測定し、所定距離（例えば１ｍ以内）であれば、存在データＤをパソコン６の情報処理装置５（ＯＲ回路１０）に送る。
存在データＤがあればパソコン６画面の監視やインターネット画面を見つめており、ステップＳ１０の情報処理の作業中である。
存在データＤが無ければステップＳ１１に進み、断続判定部１１はカウンタ１１ａを参照して例えば５分経過したかどうかを調べる。【００２５】  この５分間は作業者Ｈが作業を中断して休憩したのか、画面を見つめて思案中なのかを判断する目安にしている。
断続検出部１１は、カウンタ１１ａを参照して５分経過していれば、休憩とみなして、終了信号Ｅを出力しステップＳ１２に進む、「ＷＯＲＤ」等の作業時間を区切る。
一方ＣＰＵ１は、図１１に示すようにタイマー８の実時間を参照して、時間記録部１４ａの「ＷＯＲＤ」該当欄１４ｂのｔ１に、終了時間を記録する。【００２６】  ステップＳ１３では断続判定部１１のカウンタ１１ａの経過時間をリセットクリアとし、図４のステップＳ２に戻り、上記動作を繰り返す。
ステップＳ１１で５分経過していなければ、ステップＳ９に戻り、作業者不在中の時間を観測する。その内一時席を離れた作業者が戻るか、そのまま時間が経過するので、上記動作が実行される。【００２７】ステップＳ１０の情報処理の後ステップＳ１４では、「ＷＯＲＤ」等が継続されているかかどうかを調べる。キー３やマウス４からの「ｘ」の入力で、「ＷＯＲＤ」が終了されていれば、ステップＳ１２に行き、上記同様に「ＷＯＲＤ」該当欄１４ｂのｔ１に、終了時間を記録する。
その後ステップＳ１３に行き、断続判定部１１のカウンタ１１ａの経過時間をリセットクリアとし、図４のステップＳ２に戻る。【００２８】一方「ＷＯＲＤ」等が継続の場合、例えば、作業者Ｈはマウス４とキーボード３とを使用して、図６のような文書「あああ・・・ＫＫ・・・」を作成する。その後作業者Ｈは作文に熱中するあまり、時間の経過を忘れて１０分、２０分・・・と表示部２の画面を凝視し続けている。
ステップＳ１５では、ＣＰＵ１はカウンタ１１ａを参照して、疲労度プログラム１９により継続時間が２０分か、４０分か、６０分かを検出する。ステップＳ１６では、図６、図７、図８、図９に示すように表情ファイル２０から継続時間に対応する表情データを読み出し、ステップ１７では、該当顔表情の像を表示装置２に表示する。ステップ１８では該当文字を画面に表示し、またスピーカ７から該当音声を放送する。
表示装置２の画面の大部分（大面積）には図６に示すように作成中の文字（図面）画面が、右下横の小部分（小面積）には経過時間とともに変化した「顔表情」の絵が同時に表示される。【００２９】  即ち、カウンタ１１ａによる経過（ＶＤＴ労働）時間が２０分以内であれば、ステップＳ１６ａでは、カウンタ１１ａは２０分以下であり、疲労度プログラム１９は時間欄２０ａの２０分の行対応、表情欄２０ｂから元気男性の顔表情Ａを、音声欄２０ｃから音声信号“サー元気に始めよう”を、文字欄２０ｄから文字信号「サー元気に始めよう！」をそれぞれ読み出す。
ステップＳ１７ａでは図６に示すように、表示部２の画面の大部分（大面積）には、作成中の文字用画面が、右下横の小部分（小面積）には、表示制御部２１により「サー元気に始めよう！」の文字と、まだ元気な「顔表情」の絵Ａとが同時に表示される。
また、ステップＳ１８ａでは音声制御部２２は音声信号“サー始めよう”から音声信号を発生してスピーカ７から音声を放送する。これら文字の表示と音声の放送は作業お邪魔にならないように２、３秒後に消去する。
その後図４のステップＳ５に戻り、上記同様に作業の経過時間をモニターする。【００３０】  次に、経過（ＶＤＴ労働）時間が２０分以上４０分以内であれば、ステップＳ１６ｂでは、カウンタ１１ａは２０分以上４０分以下であり、時間欄２０ａの４０分の行対応、表情欄２０ｂから図７に示すようにやや疲れた男性の顔表情Ｂを、音声欄２０ｃから音声信号“少し疲れた”を、文字欄２０ｄから文字信号「少し疲れた！」をそれぞれ読み出す。
ステップＳ１７ｂでは図７に示すように、表示部２の画面の大部分（大面積）には、作成中の文字用画面が、右下横の小部分（小面積）には、表示制御部２１により「少し疲れた！」の文字と、少し疲れた「顔表情」の絵Ｂとが同時に表示される。
また、ステップＳ１８ｂ音声制御部２２は音声信号“少し疲れた”から音声信号を発生してスピーカ７から音声を放送する。これら文字の表示と音声の放送は作業の邪魔にならないように、しかし以前より長く４、５秒後に消去する。【００３１】更に経過（ＶＤＴ労働）時間が４０分以上６０分以内であれば、ステップＳ１６ｃでは、時間欄２０ａの６０分の行対応、表情欄２０ｂから疲れた男性の顔表情Ｃを、音声欄２０ｃから音声信号“疲れた”を、文字欄２０ｄから文字信号「疲れた！」をそれぞれ読み出す。
ステップＳ１７ｃでは図８に示すように、表示部２の画面の大部分（大面積）には、作成が進んだ文字用画面が、右下横の小部分（小面積）には、表示制御部２１により「疲れた！」の文字と、疲れた「顔表情」の絵Ｃとが同時に表示される。
また、ステップＳ１８ｃ音声制御部２２は音声信号“疲れた”から音声信号を発生してスピーカ７から音声を放送する。【００３２】なお、上記ステップＳ１６で表情ファイル２０の時間欄２０ａから該当映像データを読み出し、対応する男性の顔表情の像をステップＳ１７で表示装置２右下に表示し、音声欄２０ｃから該当音声信号“・・・”を、文字欄２０ｄから該当文字信号「・・・！」をそれぞれ読み出す動作は、前述の２０分、４０分の刻みを、細かい１０分、２０分・・・としてもいい、更に短い時間で区切ると、その場合の顔表情も少しずつ疲労させるように設定する。
また若い男性の顔表情に換えて、図１０に示すように若い女性の顔表情Ａ、Ｂ、Ｃでもよい、その他疲れた状態が加算されて行く顔表情なら適宜使用できる。【００３３】なお更に、経過（ＶＤＴ労働）時間が６０分以上立っても休憩が取られていない場合は、ステップＳ１６ｄでは、上記動作のステップＳ７、ステップＳ８、ステップＳ９、ステップＳ１０で、引き続きパソコン６の前に座って、画面を監視し且つススップＳ１４で「ＷＯＲＤ」等の終了がない場合である。
即休憩が必要であるので、表情ファイル２０の６０分以上の行対応、表情欄２０ｂから疲れ果てた男性の顔表情の像Ｄを、音声欄２０ｃから音声信号“ハーハー”や“休憩しましょう”を、文字欄２０ｄには赤い文字信号「ハーハー」や「休憩しましょう！」をそれぞれ読み出す。
ステップＳ１７ｄでは図９に示すように、表示制御部２１により「疲れた！」の文字と、疲れ果てた「顔表情」の絵Ｄとを同時に点滅表示し、ステップＳ１８ｄスピーカ７から音声で作業者に向かって“ハーハー”や“休憩しましょう”と繰り返し呼びかける。【００３４】ステップＳ１８ｄの動作“ハーハー”や“休憩しましょう！の文字の表示”と、ステップＳ１８ｄスピーカ７から“ハーハー”や“休憩しましょう”の音声が繰り返される。
上記のステップＳ１３からステップＳ５に戻ると、ステップＳ２とステップＳ３とステップＳ４とステップＳ５を経て、図２の新たなｔ２への記録動作となる。
途中割り込みにより、別のソフト１６ｂへの平行して、起動するとステップＳ２に飛び、図３の別作業プログラムとなり、図３ではＲＡＭ１４内の別ソフトＥｘｃｅｌ１４ｂ等の記録表が作成される。【００３５】さて、ステップＳ１１で記録後に終了信号Ｅを出力し、「ＷＯＲＤ」等の作業時間を区切り、時間記録部１４ａの「ＷＯＲＤ」該当欄１４ｂのｔ１に時間を記録する。
１日の作業時間が休憩毎に、ステップＳ１１の動作で図１１のようにｔ２、ｔ３、・・・ｔｎ記録される。例えば、木下  りんご  君に付いて、０９：００から９：５７がｔ１で５７分、１１：１０から１２：５０がｔ２で４０分「Ｗｏｒｄ」の書類作成に従事したことが記録される。
同様にして、午後の作業は、ｔ３、ｔ４・・・の欄に記録される。同様にして、作表作業の「Ｅｘｃｅｌ」等についても、また他のＣＡＤ作業についてもソフト種別毎に記録される。また毎日のｔ１、ｔ２、ｔ３、・・・の作業時間は合計されて、Ｔ１として記録される。図１１に示すようにこのような記録は１日作業履歴書３１とし、更に毎月の作業データの月作業履歴書３５として、ハードディスク１５に記録できる。これら作業時間は管理責任者が一目して理解できるようにソフト種別毎棒グラフで示すことができる。【００３６】同様にして、他の作業者  海山  次郎君については、海山君のパソコン６の登録者名で記録される。こうすることで、多数の作業者についても、誰がどのソフトを何時間使用したのか記録される。
又海山君のパソコン６から他のパソコン２４にメールや書類データをケーブル２３（ＬＡＮ）を介して送ると、顔通信プログラム１７により作業時間中の継続時間に対応する表情データも送られる。
従って、他のパソコン２４の画面にはこれらメールや書類データの表示とともにが、該当顔表情の像を表示装置２に表示する。即ち、海山君が６０分以上連続作業をしている時には、図９の疲れ果てた「顔表情」の絵Ｄが第三者のＰ君に伝わり、Ｐ君から海山君に休憩をアドバイスすることも出来る。
この場合ＬＡＮに変えて、外部に送信されるインターネットであっても、同様に疲れ果てた「顔表情」の絵Ｄが受信先のパソコン画面に表示できる。
なお、作業者Ｈが実行する業務ソフトはＣＡＤによる製図、ＶＩＳＩＯの図面、票制作のＥＸＣＥＬ等でもよい。
【産業上の利用可能性】
【００３７】ＶＤＴ作業上の健康管理を、作業者自身が、適切で具体的に容易に、特別に気を使うことなく実行できる。
作業者が何時どのようなソフトウエアやプログラムを実行したのか記録して、いたずらにインターネットのＷＥＢサイトを閲覧して時間を浪費していないか等を判定できる。又文書作成や作図等に苦労したなど作業内容を評価できる。各種情報処理に対して各人の適正を自動的に判定でき、無理のない仕事配分や仕事の効率化にも役立てることができる。
【図面の簡単な説明】
【００３８】
【図１】  この発明の電子表示装置の作業時間管理システムを実施する全体外観構成図である。
【図２】  この発明を実施する情報処理装置のブロック構成図である。
【図３】  この発明を実施する情報処理装置の主要部の詳細ブロック構成図である。
【図４】  この発明の動作を説明するフローチャートの前半の図である。
【図５】  この発明の動作を説明するフローチャートの後半の図である。
【図６】  この発明における男子の顔映像の初期画面表示の例を示す図である。
【図７】  この発明における男子の顔映像のその後画面表示の例を示す図である。
【図８】  この発明における男子の顔映像の後期画面表示の例を示す図である。
【図９】  この発明における男子の顔映像の最終の画面表示の例を示す図である。
【図１０】  この発明に使用するたの女子の顔映像を示す図である。
【図１１】  この発明により作成される作業履歴書の例を示す図である。
【符号の説明】
【００３９】  １  中央演算装置（ＣＰＵ）
２  表示装置
３  キーボード
４  マウス
５  情報処理装置
６  パソコン
７  スピーカ
８  タイマー
９  接近センサー
１０  ＯＲ回路
１１  断続検出部
１１ａ  カウンタ
１２  種別判定部
１３  基本プログラム
１４  ＲＡＭ
１４ａ  時間記録部
１４ｂ  種別欄
１４ｃ  時間欄
１５  ハードディスク
１５ｂ  作業履歴書
１６  基本プログラム
１６ａ、１６ｂ  各種作業プログラム
１７  顔通信プログラム
１８  経歴整理プログラム
１９  疲労度プログラム
２０  表情ファイル
２０ａ  時間欄
２０ｂ  表情欄
２０ｃ  音声欄
２０ｄ  文字欄
２１  表示制御部
２２  音声制御部
３０  バス
３１  １日作業履歴書
３５  月作業履歴書
Ｃ  継続信号
Ｅ  終了信号
Ｈ  作業者
Ｍ  マウス信号
Ｋ  キーボード信号
【図１】
2006172408.tif 000003
【図２】
2006172408.tif 000004
【図３】
2006172408.tif 000005
【図４】
2006172408.tif 000006
【図５】
2006172408.tif 000007
【図６】
2006172408.tif 000008
【図７】
2006172408.tif 000009
【図８】
2006172408.tif 000010
【図９】
2006172408.tif 000011
【図１０】
2006172408.tif 000012
【図１１】
2006172408.tif 000013